Podtech/llm-jp-corpus-v4-ja_patent huggingface dataset:
(57)【要約】      （修正有）【課題】侵入車輪の大型車輛に至るまで飛散させることなく、できる限り狭い範囲に停止させる手裏剣形状連結車両強制阻止柵の提供。【解決手段】阻止柵フレームの車両侵入方向の上部及び下部に配置された手裏剣形状の爪と、前記阻止柵フレームの車両侵入方向とは反対側の地上面に配置された手裏剣形状の爪とを有する。【選択図】図４
0003221649.tif 000002
【実用新案登録請求の範囲】
【請求項１】
車両前進を停止させるため、フレームに手裏剣形状の爪を配置した手裏剣形状連結車両強制阻止柵。
【請求項２】
車輛の回転を止めるため、フレームに手裏剣形状の爪を配置した阻止柵を連結金具で連結した手裏剣形状連結車両強制阻止柵。
【考案の詳細な説明】
【技術分野】
【０００１】
本考案はタイヤ走行の車輌が強行突入し安全を脅かす状態になったとき、各部分に手裏剣状のものを取り付けた装置を連結し、その車輛を強制的に阻止させる柵に関する。
【背景技術】
【０００２】
従来の車輌阻止に関するもので、強制停止装置は前輪を浮かせて走行を制御不能にさせるものや、強制阻止装置は前方部分を押し上げ、全体を持ち上げて走行不能にさせることで構成されている。
【０００３】
しかしながら、走行が制御不能になっても後輪駆動車であれば前進することはできる欠点があった。また、前方部分から押し上げて走行不能にさせるものは、押し上げられる方向性が不確実な欠点があった。
【先行技術文献】
【非特許文献】
【０００４】
「２０１８年度総会カタログ」,株式会社ポーター工業,２０１８,ｐ.38  
【考案の概要】
【考案が解決しようとする課題】
【０００５】
本考案は、以上のような従来の欠点を鑑み車輛前方部を地面に押し付け、車輌のサイドはきぐが突き刺さし強制阻止する事を目的としている。
【課題を解決するための手段】
【０００６】
上記目的を達成するため、本考案はフレームに手裏剣形状の物を配置し、そのものが連結されて構成されている。
【考案の効果】
【０００７】
以上の説明から明らかなよう、本考案にあっては次に列挙する効果が得られる
(１) 配置された手裏剣形状の物が地面と同時に車輌にも突き刺さり、装置設置の近い場所で強制阻止させるものである。
【０００８】
(２) 手裏剣形状の物を配置した装置を連結することで、車輛サイドに連結部分が回り込み、車輌の回転を止めて強制阻止させるものである。
【図面の簡単な説明】
【０００９】
【図１】手裏剣形状連結車両強制阻止柵正面図
【図２】手裏剣形状連結車両強制阻止柵左側面図
【図３】手裏剣形状連結車両強制阻止柵平面図
【図４】手裏剣形状連結車両強制阻止柵連結図
【考案を実施するための形態】
【００１０】
以下、本考案の実施の形態を図に基づいて説明する。
【実施例１】
【００１１】
図２は本考案装置の実施例１の左側面図である。図面向かって右側から車輌が進入し、５手裏剣形状Eと４手裏剣形状Dが車輌に食いつき、それにより阻止柵と車輌が押し上げられ、と同時に３手裏剣形状Gが車輌底部に食い込み、３本の手裏剣形状の受けた力を１手裏剣形状A、２手裏剣形状Bに伝えて地面に食い込むのである。また、車輛と阻止柵、地面と阻止柵の角度関係は衝突時に多少の変化があっても5本の爪が手裏剣状であるため回転変化に耐えるものである。
【実施例２】
【００１２】
図４は連結図である。このように連結することにより道路を封鎖し車輛と直接衝突した阻止柵は車輌の前進を止め、その他の阻止柵は車輌に回り込み回転をとめるのである。１０連結金具は６連結フックAと７連結フックBにジョイントされるものと、８連結フックCと９連結フックDにジョイントされるものがある。それぞれ一連の連結金具の関係は左側面図より向かって右が車輌の進入方向で、そのほうが鋭角になっているため、向ってくる左より右に回り込み車輌に回り込もうとするのである。
【産業上の利用可能性】
【００１３】
テロ対策等で安全のため完全に車輌を強制停止させるときにもちいるものである。
【符号の説明】
【００１４】
１手裏剣形状A
２手裏剣形状B
３手裏剣形状C
４手裏剣形状D
５手裏剣形状E
６連結フックA
７連結フックB
８連結フックC
９連結フックD
１０連結金具
１１フレーム
【図１】
0003221649.tif 000003
【図２】
0003221649.tif 000004
【図３】
0003221649.tif 000005
【図４】
0003221649.tif 000006
【手続補正書】
【提出日】平成31年1月4日(2019.1.4)
【手続補正１】
【補正対象書類名】実用新案登録請求の範囲
【補正対象項目名】全文
【補正方法】変更
【補正の内容】
【実用新案登録請求の範囲】
【請求項１】
車両の進入を停止させるため、阻止柵フレームの車両侵入方向に上下に手裏剣形状の爪を配置し、また、車両侵入方向の前後に、地上面に手裏剣状の爪を配置した手裏剣形状連結車両強制阻止柵。
【請求項２】
車輛の回転を止めるため、阻止柵の連結金具の連結方法により車輛を囲い込む手裏剣形状連結車両強制阻止柵。
【手続補正書】
【提出日】平成31年4月7日(2019.4.7)
【手続補正１】
【補正対象書類名】実用新案登録請求の範囲
【補正対象項目名】全文
【補正方法】変更
【補正の内容】
【実用新案登録請求の範囲】
【請求項１】
阻止柵フレームと前記阻止柵フレームの車両侵入方向の上部及び下部に配置された手裏剣形状の爪と、前記阻止柵フレームの車両侵入方向とは反対側の地上面に配置された手裏剣形状の爪とを有する、車両の進入を停止させるための手裏剣形状連結車両強制阻止柵。
【請求項２】
前記阻止柵フレームに設けられた連結フックに連結金具をジョイントすることで、複数の前記阻止柵フレームを連結した、請求項１に記載の手裏剣形状連結車両強制阻止柵。
(57)【要約】      （修正有）【課題】工期短縮、作業効率をあげる為、モルタルを使用しないレンガパネルであり、外部から虫や埃、水の侵入を防ぐ構造を持ち、断熱効果の高い外壁用高機能レンガパネルを提供する。【解決手段】外壁用のレンガパネルは、数個の釘打ち用の穴１、２を有し、モルタルが不要になり、初心者でも作業ができる。また、上側パネルと下側パネルとの間に中板を設けることで、パネルを重ねて張り付けたとき、パネル間に空間がうまれ、断熱効果が向上する。さらに、外部から虫や埃、水の侵入を防ぐ為、パネルを横に張り合わせた時に隙間を埋める突起物凸６とへこみ凹４をパネルの側面に有する。【選択図】図１
0003221647.tif 000002
【実用新案登録請求の範囲】
【請求項１】
外壁用のレンガパネルに釘打ち用の穴が数個空いているのでモルタルが不要となる。
【請求項２】
レンガパネルに中板をつけたことで、パネルとパネルの間に空間がうまれ断熱効果が向上する。
【請求項３】
外部から虫や埃、水の侵入を防ぐ為、レンガパネルとレンガパネルを横に張り合わせる隙間を埋める凸凹の突起物がついているレンガパネルである。
【請求項４】
レンガパネルの上の部分が斜めに傾斜をつけているので、水や埃が溜まらないようになっている。
【考案の詳細な説明】
【技術分野】
【０００１】  本考案は、外壁用のレンガパネルに釘打ち用の穴が数個空いているので、モルタルを使用しないレンガパネルであり、虫や埃、水の侵入もなく、断熱効果の高い高機能レンガである。
【背景技術】
【０００２】  通常レンガを外壁に使用する場合、土台の上からレンガを積み上げていく。
その際、モルタルを用意してレンガとレンガの間にモルタルを塗らなければならない。【０００３】  レンガを水平、垂直に積み重ねていく為に準備（段取り）に手間がかかる。【０００４】  モルタルを用意するにもセメントまたは石灰を用意し、砂を混ぜて水で練らなければならない。
この作業に手間がかかる。またレンガを積み重ねてもモルタルが乾燥するのに時間がかかり、天候が悪ければ作業もできない。
【先行技術文献】
【考案文献】
【考案の開示】
【考案が解決しようとする課題】
【０００５】  本考案は、外壁用レンガパネルを効率よく外壁に取り付けるだけでなく断熱効果をより一層高め、外部からの虫や埃、水の侵入を防ぐ外壁用レンガパネルを提供することを課題とするものである。
【課題を解決するための手段】
【０００６】  本考案は、外壁用レンガパネルを効率よく外壁に取り付ける為に釘打ち出来るように釘打ち用の穴が空いている。断熱効果をより一層高める為にレンガパネルに中板を組み入れ、このことでパネルとパネルとの間に空間がうまれるよう作られている。外部からの虫や埃、水の侵入を防ぐようにレンガパネルとレンガパネルを張り合わせる時、隙間を埋めるための凸凹の突起物がついている外壁用レンガパネルを提供するものである。
【考案の効果】
【０００７】  本考案は、モルタルを一切使用しないので低コストと工期短縮となり、レンガパネルに中板を組み入れることでパネルとパネルとの間に空間がうまれ断熱効果も向上し、外部からの虫や埃、水の侵入も防ぐことができる。
【考案を実施するための最良の形態】
【０００８】以下、図面を参照して本考案の実施形態を説明する。
なお、以下に説明する実施形態に限定されることなく、本趣旨を離脱しない範囲で、任意の構造を採用することができる。
図１は、外壁用レンガパネルの正面図であり、両側に突起物凸６とへこみ凹４がついているところに特徴がある。【０００９】図２は、外壁用レンガパネルの側面図であり、中板１０を組み入れることでレンガパネルを重ねると空間がうまれるところに特徴がある。【００１０】図３は、外壁用レンガパネルの底面図であり、両側にＶ型の突起物凸６とＶ型のへこみ凹４がついているところに特徴がある。
【図面の簡単な説明】
【００１１】
【図１】外壁用レンガパネルの正面図である。
【図２】外壁用レンガパネルの側面図である。
【図３】外壁用レンガパネルの底面図である。
【符号の説明】
【００１２】１      レンガパネル  穴１
２      レンガパネル  穴２
３      レンガパネル  傾斜面
４      側面  へこみ凹
５      正面
６      側面  突起凸
７      傾斜面
８      レンガパネル  下地板
９      側面  突起凸
１０    中板
１１    側面  へこみ凹
１２    底面
１３    側面  突起凸
【図１】
0003221647.tif 000003
【図２】
0003221647.tif 000004
【図３】
0003221647.tif 000005
【手続補正書】
【提出日】平成30年10月17日(2018.10.17)
【手続補正１】
【補正対象書類名】実用新案登録請求の範囲
【補正対象項目名】全文
【補正方法】変更
【補正の内容】
【実用新案登録請求の範囲】
【請求項１】
外壁用のパネルに釘打ち用の穴が数個空いているのでモルタルで固定する必要がなくなることを特徴とするパネルである。
【請求項２】
請求項１に、パネルの中央の横に中板をつけたことで、パネルとパネルの間に空間がうまれ断熱効果を向上させることを特徴とするパネルである。
【請求項３】
請求項２に、パネルとパネルを横に張り合わせる隙間に凸凹の突起物がついているので外部から虫や埃、水の侵入を防ぐ特徴を有するパネルである。
【請求項４】
請求項３に、パネルの最上の部分と中間の突起物が斜めに傾斜をつけているので、水や埃が溜まらない特徴を有するパネルである。
【手続補正書】
【提出日】平成31年2月22日(2019.2.22)
【手続補正１】
【補正対象書類名】実用新案登録請求の範囲
【補正対象項目名】全文
【補正方法】変更
【補正の内容】
【実用新案登録請求の範囲】
【請求項１】
釘打ち用の穴が数個空けられていて、モルタルが不要であることを特徴とする外壁材用レンガパネル。
【請求項２】
上側のパネルと下側のパネルとの間に中板をつけたことで、空間がうまれ断熱効果が向上させることを特徴とする、請求項１に記載の外壁材用レンガパネル。
【請求項３】
凸凹の突起物が下側のパネルの側面に形成され、横方向に張り合わせたときに隙間を埋めて、虫や埃、水が外部から侵入することを防ぐことができる、請求項１または２に記載の外壁材用レンガパネル。
【請求項４】
下側のパネルの上端に傾斜を設け、水や埃が溜まることを防ぐことができる、請求項１から３のいずれかに記載の外壁材用レンガパネル。
【請求項５】
パネルの大きさは、コピー用紙のＡ５サイズの大きさにすることで世界標準の大きさになるので、パネルの枚数が容易に計算できる請求項１から４のいずれかに記載の外壁材用レンガパネル。
(57)【要約】 【課題】  鯖の釣果を向上させる鯖釣り用擬似餌を提供する。【解決手段】  この鯖釣り用擬似餌は、フック１とフック１に固定して装備された二組の擬似用羽根２及び３で構成されている。擬似用羽根２は、合成樹脂製フィルム２ａ及び２ｂの二枚で構成されている。擬似用羽根３も、合成樹脂製フィルム３ａ及び３ｂの二枚で構成されている。合成樹脂製フィルム２ａ，２ｂ，３ａ，３ｂは、その巾が２〜２０ｍｍで長さが３０〜１５０ｍｍである。合成樹脂製フィルム２ａ，２ｂ，３ａ，３ｂは、一軸延伸フィルムで軟質のもので、その厚さが１０〜２００ミクロンである。合成樹脂製フィルム２ａ，２ｂ，３ａ，３ｂの色は桃色である。擬似用羽根２及び３は、フック１のシャンク部でエダス４を巻回して固定されている。モトスにエダス４を介して、この鯖釣り用擬似餌を複数連結して鯖釣り具とする。【選択図】  図２
0003221621.tif 000002
【実用新案登録請求の範囲】
【請求項１】
フックと該フックに装備された擬似用羽根とで構成された鯖釣り用擬似餌において、
前記擬似用羽根は、二枚一組の合成樹脂製フィルムが二組装備されており、
前記合成樹脂製フィルムの巾は２〜２０ｍｍで長さが３０〜１５０ｍｍであることを特徴とする鯖釣り用擬似餌。
【請求項２】
擬似用羽根は、エダスによってフックのシャンク部で固定されて装備されている請求項１記載の鯖釣り用擬似餌。
【請求項３】
合成樹脂製フィルムが一軸延伸合成樹脂製フィルムである請求項１又は２記載の鯖釣り用擬似餌。
【請求項４】
合成樹脂製フィルムは軟質であって、厚みが１０〜２００ミクロンである請求項１乃至３のいずれか一項に記載の鯖釣り用擬似餌。
【請求項５】
合成樹脂製フィルムの色が桃色である請求項１乃至４のいずれか一項に記載の鯖釣り用擬似餌。
【請求項６】
モトスに、エダスを介して、請求項１乃至５のいずれか一項に記載の鯖釣り用擬似餌を複数連結してなる鯖釣り具。
【考案の詳細な説明】
【技術分野】
【０００１】
本考案は、鯖釣りに用いる擬似餌に関し、特に冬場での鯖釣り（寒鯖釣り）に適した擬似餌に関するものである。
【背景技術】
【０００２】
従来より、鯖釣り用擬似餌として、フック１とフック１に装備された擬似用羽根１１とで構成されたものが知られている（図１）。擬似用羽根１１は、一枚の合成ゴム製フィルムで構成されており、その巾は約７ｍｍで長さが約１５ｍｍである。鯖釣り用以外の擬似餌においても、擬似用羽根は、概ねこの程度の巾及び長さを持つものであった（特許文献１）。
【０００３】
【特許文献１】特開２０００−２１７４７１公報（図１）
【考案の概要】
【考案が解決しようとする課題】
【０００４】
本考案の課題は、従来の鯖釣り用擬似餌に比べて、さらに鯖の釣果を向上させる鯖釣り用擬似餌を提供することにある。特に、海水温が低温（たとえば、１３〜１５℃）である冬場において、寒鯖の釣果を向上させる鯖釣り用擬似餌を提供することにある。
【課題を解決するための手段】
【０００５】
本考案は、擬似用羽根の装備形態を工夫すると共に、擬似用羽根の長さを長くすることにより、上記課題を解決したものである。すなわち、本考案は、フックと該フックに装備された擬似用羽根とで構成された鯖釣り用擬似餌において、前記擬似用羽根は、二枚一組の合成樹脂製フィルムが二組装備されており、前記合成樹脂製フィルムの巾は２〜２０ｍｍで長さが３０〜１５０ｍｍであることを特徴とする鯖釣り用擬似餌に関するものである。
【考案の効果】
【０００６】
本考案に係る鯖釣り用擬似餌を用いると、図１に示した従来の鯖釣り用擬似餌を用いた場合と比較して、約２倍以上の釣果を得ることができた。この理由は定かではないが、特定のサイズの合成樹脂製フィルム二枚よりなる二組の擬似用羽根の海中での動きを、鯖が好餌であると勘違いするため、約２倍以上の釣果が得られると考えられる。
【図面の簡単な説明】
【０００７】
【図１】従来の鯖釣り用擬似餌の平面写真である。
【図２】本考案の一例に係る鯖釣り用擬似餌の平面図である。
【図３】本考案の一例に係る鯖釣り用擬似餌の平面写真である。
【考案を実施するための形態】
【０００８】
本考案の一例に係る鯖釣り用擬似餌は、フック１とフック１に装備された二組の擬似用羽根２及び３で構成されている。擬似用羽根２及び３は、フック１のシャンク部に当接し、その上からエダス４を巻回することにより固定されて装備されている。擬似用羽根２は、二枚の合成樹脂製フィルム２ａ及び２ｂで構成されている。また、擬似用羽根３も、二枚の合成樹脂製フィルム３ａ及び３ｂで構成されている。
【０００９】
合成樹脂製フィルム２ａ，２ｂ，３ａ，３ｂは、その巾が２〜２０ｍｍで、その長さが３０〜１５０ｍｍとなっている。従来のものに比べて長い合成樹脂製フィルムは、海中での動きが複雑となり、鯖が好餌と勘違いすると考えられる。合成樹脂製フィルム２ａ，２ｂ，３ａ，３ｂは、軟質であるのが好ましい。軟質の方が、海中での動きが複雑になるためである。また、合成樹脂製フィルム２ａ，２ｂ，３ａ，３ｂの厚みは、１０〜２００ミクロン程度が好ましい。この程度の厚さの方が、海中での動きが複雑になるためである。合成樹脂製フィルムの色は任意であるが、桃色又は赤色にするのが好ましい。なお、合成樹脂製フィルム２ａ，２ｂ，３ａ，３ｂは、未延伸フィルム、一軸延伸フィルム又は二軸延伸フィルムのいずれであっても差し支えないが、一軸延伸フィルムを採用するのが好ましい。一軸延伸フィルムは、海中等で外力が負荷されたとき、長手方向に裂けやすく、裂けた部位により合成樹脂製フィルム２ａ，２ｂ，３ａ，３ｂの動きがさらに複雑となり、鯖が好餌と勘違いしやすくなる。
【００１０】
鯖釣り用擬似餌は、一般的に、モトス（図示せず）に複数連結して使用する。具体的には、モトスにエダスを介して、鯖釣り用擬似餌を複数連結する。鯖釣り用擬似餌を連結するピッチは任意であるが、一般的に、３０ｃｍ〜２００ｃｍ程度である。また、一本のモトスに連結する鯖釣り用擬似餌は、５〜１５本程度である。なお、モトスの端には錘を連結することはいうまでもない。
【実施例】
【００１１】
実施例
図３に示した鯖釣り用擬似餌を、エダス４を５０ｃｍ間隔で６本モトスに連結して、鯖釣り具を準備した。擬似用羽根を構成している合成樹脂製フィルムは、その巾が４ｍｍでその長さが８７ｍｍであり、色は桃色である。和歌山県美浜港から出船し、紀伊水道にて魚影を確認の上、この鯖釣り具を海中に沈めて鯖を釣った。釣果は寒鯖４６匹であった。
【００１２】
比較例
図１に示した鯖釣り用擬似餌を用いて、実施例と同様の方法で鯖釣り具を準備した。擬似用羽根を構成している合成樹脂製フィルムは、その巾が１０ｍｍでその長さが１５ｍｍであり、色は桃色である。和歌山県美浜港から出船し、紀伊水道にて魚影を確認の上、この鯖釣り具を海中に沈めて鯖を釣った。釣果は寒鯖８匹であった。
【符号の説明】
【００１３】
１          フック
２          擬似用羽根
２ａ，２ｂ  合成樹脂製フィルム
３          擬似用羽根
３ａ，３ｂ  合成樹脂製フィルム
４          エダス
【図１】
0003221621.tif 000003
【図２】
0003221621.tif 000004
【図３】
0003221621.tif 000005
(57)【要約】      （修正有）【課題】イヤリングの飾り部を耳介押圧器として付設し、その耳介押圧器で耳ツボをしげきすることで、疼痛等身体の不調を軽減する耳介押圧器付イヤリングを提供する。【解決手段】イヤリングの耳たぶ締め付け部１にクリップ形状の耳介押圧器２を鎖３で連結一体化し、耳ツボ刺激の必要時に応じ、その飾り部である耳介押圧器２で耳ツボ刺激が即可能となり、身体の健全化に役立つ。【選択図】図１
0003221682.tif 000002
【実用新案登録請求の範囲】
【請求項１】
イヤリングの耳たぶに固定する締め付け部にクリップ形状で耳介を挟み込む耳介押圧器を連結一体化することでイヤリングの飾り部となし、その飾り部である耳介押圧器で耳ツボ刺激が可能としたところを特徴とする耳介押圧器付イヤリング。
【考案の詳細な説明】
【技術分野】
【０００１】  本考案は、耳ツボを刺激するクリップ形状の耳介押圧器と一体化したイヤリングに関するものである。
【背景技術】
【０００２】  耳介には、身体のそれぞれの部位に対応するツボ（反射痛点）があると言われ、その身体の部位に異常がある場合等、その部位に有効な耳ツボを押圧する耳介押圧器や鍼シールを密着させて耳ツボを刺激していた。その耳ツボを耳介押圧器で押圧刺激する場合に備え、常時、バック等の中に耳介押圧器を所持保管していなければいけなかった。
【考案の概要】
【考案が解決しようとする課題】
【０００３】  耳介押圧器を常時所持保管することは心的負担であり、さらに、耳介押圧器を必要に応じ使用するため保管場所から取り出すことは、時間的、労働的負担である。従って、イヤリングの耳たぶ締め付け部に、イヤリングの飾り部として耳介押圧器を連結一体化し、そのイヤリングの飾り部を耳介押圧器として使用することで、前述の欠点を解決しようとするものである。
【課題を解決するための手段】
【０００４】  本考案は、イヤリングの飾り部であるクリップ形状の耳介押圧器をイヤリングの耳たぶ締め付け部と連結一体化することにより、耳ツボ刺激が必要な場合、イヤリングの耳たぶ締め付け部を耳介より取り外し、その飾り部である耳介押圧器で耳介を押圧、耳ツボを刺激することにより問題点を解決している。
【考案の効果】
【０００５】  上述の様に、本考案の耳介押圧器付イヤリングは、アクセサリーとして使用することは勿論、イヤリングの飾り部が耳介押圧器であるため必要に応じ、その飾り部の耳介押圧器を使用することで耳ツボ刺激が即、可能となりそれ故身体の健全化に役立つ。
【図面の簡単な説明】
【０００６】
【図１】本考案の耳介押圧器付イヤリングの実施例を示す平面図である。
【図２】本耳介押圧器付イヤリングの側面図である。
【考案を実施するための形態】
【０００７】  イヤリングの耳たぶ締め付け部に鎖等で耳介押圧器を連結一体化することで、イヤリングの飾り部とし、アクセサリーにもなりかつイヤリングの耳たぶ締め付け部を耳たぶより取り外し、その飾り部のクリップの形状の耳介押圧器で耳介を押圧することで、耳ツボ刺激が可能となり、その使い分けにより、いついかなる時でもアクセサリーの飾り部として、また、耳ツボ刺激の耳介押圧器として自在に使用できる。
【実施例１】
【０００８】  以下、添付図に従って一実施例を説明する。１は金属等適宜素材にて形成されたイヤリングの耳たぶ締め付け部、２は耳介押圧器で鎖３でイヤリングの耳たぶ締め付け部と耳介押圧器２を連結一体化する。【０００９】  本考案の一実施例は上述の如き構成からなるものであるからアクセサリーとして用いることはもちろんであるが、その飾り部の耳介押圧器で耳ツボ刺激が可能となる。
【符号の説明】
【００１０】１  イヤリングの耳たぶ締め付け部
２  耳介押圧器
３  鎖
【図１】
0003221682.tif 000003
【図２】
0003221682.tif 000004
(57)【要約】      （修正有）【課題】石膏ボードの下地に堅固に固定することのできるフック。【解決手段】本考案はものを掛けるフック部１と、ネジ部２が一体となっており、ネジ部２の長さは石膏ボード４を貫通し、石膏ボードを固定する木製や鋼製の下地５にねじ込むのに十分な長さで、かつ、ネジ部の先端３がドリル状の鈍角のきり刃になっている構造のねじ込みフックにより、石膏ボードの下地に堅固に固定することが可能となる。【選択図】図４
0003221687.tif 000002
【実用新案登録請求の範囲】
【請求項１】
ものを掛けるフック部と、ネジ部が一体となっており、ネジ部の長さは石膏ボードを貫通し、石膏ボードを固定する木製や鋼製の下地にねじ込むのに十分な長さで、かつ、ネジ部の先端がドリル状の鈍角のきり刃になっていて、石膏ボードの下地に堅固に固定することが可能としたところを特徴とするねじ込みフック
【考案の詳細な説明】
【技術分野】
【００１】本考案は、石膏ボード用ねじ込みフックに関するものである。
【背景技術】
【００２】  石膏ボードにねじ込みフックを使用するにあたり、従来のねじ込みフックは、特許文献１のように、タッピングネジと，その頭部に連なる丸型又はＬ型のフックとを一体成形してなるフック付きタッピングネジの全体に焼き入れを施すことを特徴とするフック付きタッピングネジや、特許文献２のような、鉄骨用テクスネジとフックを一体としフック部に鍋型十字穴頭をも一体としたネジがある。また、特許文献３のような、石膏ボード用アンカーを使用してねじ込みフックをねじ込む方法もある。
【先行技術文献】
【特許文献】
【００３】
【特許文献１】実登  ３０３７５９９号公報
【特許文献２】実開平  ０６−０８２４１９号公報
【特許文献３】特許  第６１８８２６６号公報
【考案の概要】
【考案が解決しようとする課題】
【００４】  ねじ込みフックについてその目的は、建物の天井面や壁面等に取り付け、物を吊るしたりすることに用いる。【００５】  そして、特許文献１のような、フック付きタッピングねじの全体に焼き入れを施し、鉄板などの透孔にもねじ込めるようにするものが考えられた。【００６】  また、特許文献２のような、鉄骨用テクスねじとフックを一体としフック部に鍋型十字穴頭をも一体としたねじで、種々の硬い面、建物の天井面、壁面等に取り付けるフック付ねじがある。【００７】  さらに、特許文献３のようにな、石膏ボード用アンカーを使用して、ねじ込みフックを取り付ける方法もある。【００８】  現在多くの建築物に使用されている石膏ボードの厚さの規格は、９．５ｍｍから２１ｍｍあり、これらの石膏ボード本体にねじ込みフックをねじ込んでも石膏で固められた本体にはネジが固定できない。また、ねじ部の長さが短く、石膏ボードの下地として使用する木材下地や鋼製下地に堅固に固定することができない。さらに、アンカーなど別の部品を使用しなければ石膏ボードにねじ込みフックは固定できない。本考案はこのような従来の構成が有していた問題を解決しようとするものであり、石膏ボードの木材下地や鋼製下地に堅に固定するねじ込みフックを提供することを目的とする。
【課題を解決するための手段】
【００９】  本考案は、上記目的を達成するために、ネジ部の部分の長さを長くして、石膏ボードの本体を貫通し、石膏ボードの下地として使用する木材下地や鋼製下地に堅固に固定することができるようにする。【０１０】  そして、そのネジ部の先端は、木材はもちろん、鋼材にも切り込むことが可能なように、その形状をドリル状の鈍角のきり刃にする。
【考案の効果】
【０１１】  上述したように、ネジ部の部分を長くすることで、石膏ボードの本体を貫通し、下地として使用する木材下地や鋼製下地にねじ込むことができるようになる。【０１２】  さらに、ネジ部の先端は、その形状をドリル状の鈍角のきり刃になっているために、木材はもちろん、鋼材にも切り込むことができ下地に堅固に固定することができる。【０１３】  以上のように、本考案の石膏ボード用ねじ込みフックを使用することで、石膏ボードでできた天井面、壁面等に、石膏ボードの本体を貫通し、下地として使用する木材下地や鋼製下地にねじ込み堅固に固定することができる。
【図面の簡単な説明】
【０１４】
【図１】  従来のねじ込みフックを示す斜視図
【図２】  本考案のねじ込みフックを示す斜視図
【図３】  図２のねじ込みフックの先端部の拡大図
【図４】  本考案のねじ込みフックを石膏ボードおよび下地にねじ込んだ断面図
【図５】  （Ａ）本考案のねじ込みフックＬ字型を示す平面図  （Ｂ）本考案のねじ込みフック円形型を示す平面図
【考案を実施するための形態】
【０１５】  石膏ボードでできた天井面、壁面等に、石膏ボード用ねじ込みフックをねじ込み、石膏ボードの本体を貫通し下地として使用する木材下地や鋼製下地にねじ込み堅固に固定する。
【実施例】
【０１６】  以下、本考案の実施の例を図１〜図５に基づいて説明する。図１においては、従来のねじ込みフックを示す斜視図であり、ものを掛けるフック部１とネジ部２が一体となったねじ込みフックである。ネジ部２の長さはフック部１の大きさに比例して長くなる。【０１７】  図２においては、本考案のねじ込みフックを示す斜視図であり、ものを掛けるフック部１と、ネジ部２が一体となっており、従来のねじ込みフックよりもネジ部２が長くなり、かつ、ネジ部の先端３がドリル状の鈍角のきり刃になっているねじ込みフックである。ネジ部２の長さは、フック部１の大きさに関係なく、石膏ボードの厚さ以上の長さであり、下地にねじ込むことができる長さであることから、３０ｍｍ以上が望ましい。また、材質はニッケル・真中・ステンレス・ユニクロなど用途により変えることができる。【０１８】  図３においては、本考案のねじ込みフックのネジ部の先端部３の拡大図であり、その形状は、木材はもちろん鋼材にも切り込むことが可能なようにドリル状の鈍角のきり刃状になっている。【０１９】  図４においては、本考案のねじ込みフックを石膏ボード４および下地５にねじ込んだ断面図であり、ネジ部２は石膏ボード４本体を貫通し、木製や鋼製の下地５にねじ込まれ堅固に固定されている。【０２０】  図５においては、本考案のねじ込みフックのフック部１の形状であり、Ｌ字型（Ａ）、円形型（Ｂ）である。【０２１】  以上が本考案の実施の例であるが、上記説明した実施の例に限定されるものではなく、本考案の目的および効果を生じる範囲で必要に応じて形状、材質など、適宜変更して実施することが可能である。
【符号の説明】
【０２２】１．フック部            ２．ネジ部            ３．ネジ部の先端
４．石膏ボード          ５．石膏ボードの下地
【図１】
0003221687.tif 000003
【図２】
0003221687.tif 000004
【図３】
0003221687.tif 000005
【図４】
0003221687.tif 000006
【図５】
0003221687.tif 000007
(57)【要約】      （修正有）【課題】唐揚げ等の粉をまぶす料理の時、粉を紙の上や器でまぶすと周囲を汚したり手が粉だらけになったりする上、粉の出しすぎで粉の無駄をすることのない粉まぶし器の提供。【解決手段】透明又は半透明の胴体３内部の中央部に粉だけが通過できる通過孔７を有する隔壁部６が設けられているので、粉と粉をまぶす対象物とを分けることができる粉まぶし器１である。胴体３を手で持って振ることにより対象物に粉をまぶすことができる。【選択図】  図２
0003221699.tif 000002
【実用新案登録請求の範囲】
【請求項１】
粉まぶし器1であって、透明又は半透明の胴体3と、この胴体3の内部を長さ方向一方側室4及び長さ方向他方側室5の2つに分ける隔壁部6と、前記胴体3の両端部にそれぞれ取り付けられた蓋体2と、を備え、前記隔壁部6には、粉をまぶす鶏肉等の対象物8を通過させないような大きさの粉通過孔7が形成されていて、前記長さ方向一方側室4又は前記長さ方向他方側室5のいずれかに対象物を収容し、この胴体3内の粉を対象物にまぶすことができる、ことを特徴とする粉まぶし器。
【請求項２】
前記隔壁部6は前記胴体3の長さ方向中央又はほぼ中央に形成されている、ことを特徴とする請求項1記載の粉まぶし器。
【請求項３】
前記蓋体2はねじ式の、前記胴体3への取り付け構造を有している、ことを特徴とする請求項1又は2記載の粉まぶし器。
【考案の詳細な説明】
【技術分野】
【０００１】
本考案は、胴体でその中央に粉が通過することができる隔壁部が設けられており、その胴体の蓋体は例えばねじ巻き式になっている粉まぶし器である。
【背景技術】
【０００２】
老若男女を問わず人気の唐揚げであるが、材料に付着させる粉は「まぶしタイプ」のものと「水溶きタイプ」のものとがある（特許文献1参照）。特に「まぶしタイプ」のものを使用する場合には、材料に粉をまぶす時、手や周辺の汚れが気になり、粉が無駄に残ってしまうことがある。
【先行技術文献】
【特許文献】
【０００３】
【特許文献１】特開2005-261297号
【考案の開示】
【考案が解決しようとする課題】
【０００４】
通常唐揚げをするとき、粉を器や紙の上に出し材料をひとつひとつまぶすので、周囲が汚れたり手も粉だらけになる。また、粉を出し過ぎて無駄にすることもしばしばある。このような問題を解決する粉まぶし器である。
【課題を解決するための手段】
【０００５】
この問題を解決するための粉まぶし器は、粉まぶし器であって、透明又は半透明の胴体と、この胴体の内部を長さ方向一方側室及び長さ方向他方側室の2つに分ける隔壁部と、前記胴体の両端部にそれぞれ取り付けられた蓋体と、を備え、前記隔壁部には、粉をまぶす鶏肉等の対象物を通過させないような大きさの粉通過孔が形成されていて、前記長さ方向一方側室又は前記長さ方向他方側室のいずれかに対象物を収容し、この胴体内の粉を対象物にまぶすようにするものである。例えば、両手で保持できる胴体で、その中央には粉通過孔が設けられた隔壁部で、上側胴体部と下側胴体部に分けられている。また胴体の両端開口部にはそれぞれ例えばねじ式又はねじ巻き式の蓋が備えられている。隔壁部は胴体の長さ方向中央又はほぼ中央に形成できる。
胴体の長さは、材料（対象物）を胴体に入れて振る時、材料（対象物）が上下左右に移動できる高さに構成されている粉まぶし器である。
【考案の効果】
【０００６】
粉まぶし器を使用する時は、粉まぶし器の一方の蓋をし、材料（対象物）と粉を入れ、他方の蓋をする。粉まぶし器の胴体の中央辺りを両手で包むように持ち、上下左右軽く振り、振り終わったら、隔壁部に材料（対象物）が乗った状態で台の上でトントンと余分な粉を振り落とす。粉のまぶされた材料（対象物）を取り出し、続けて次の材料（対象物）を入れて、同じ手順を繰り返す。途中粉が不足したら必要な量の粉を足す。こうすることで粉の無駄がなくなる。使用後は余分な粉を捨てて、水を粉まぶし器の3分の1くらい入れて両方の蓋を閉じ軽く振る。新しい水に入れ替えて3回くらい繰り返すことで、きれいになるので後片付けも簡単である。
【図面の簡単な説明】
【０００７】
【図１】粉まぶし器を正面側から見た図
【図２】粉まぶし器を真上側から見た図
【図３】粉まぶし器を分解した図
【図４】粉まぶし器に実際に材料及び粉を入れた図
【図５】粉まぶし器を上下左右に振っている図
【図６】粉まぶし器から材料を取り出している図
【図７】粉まぶし器を使用後洗っている様子
【考案を実施するための形態】
【０００８】
本考案は、唐揚げなどの粉をまぶす料理を手間なく簡単に粉をまぶすものである。そのため胴体3の周囲は両手で保持できるサイズになっており、胴体3の中央に2つのスペースを構成する粉を通過させる通過孔7が設けられた隔壁部6があるので、余分な粉を振るい落とし、次の材料（鶏肉）に続けて粉をまぶすことができる仕組みになっている。胴体3は透明な又は半透明であって外から内部の例えば粉の残量状態を確認できるように構成されている。
【０００９】
粉まぶし器1の使用時は、ねじ式又はねじ巻き式の蓋2で胴体3の両側をしっかり密封するので、粉がまわりに飛び散ったりしない。蓋2としてはねじ式又はねじ巻き式のものの他、胴体3の端部を覆うように端部に密着させるものやはめ込み式のものなど各種のものを用いることができる。粉まぶし器1の長さは、粉まぶし器1に投入した材料が、上下左右移動できるサイズになっているのでまんべんなく粉付けができる。中央にある隔壁部6で2つに分かれた一方のスペースに、材料と粉を入れて蓋2をし、まぶすように粉まぶし器1を軽く振り、終わったら取り出し、続けて次の材料を入れるので粉の残り具合を見ながら調節でき、粉の無駄もない。粉が残り少なくなったら図4に示すように補充する。使用後は例えば一方の蓋２お外し胴体３内を水でゆすいて粉などを洗い流す（図７）。
【００１０】
胴体3の内部を長さ方向一方側室4と長さ方向他方側室5とに区画する隔壁部6の通過孔7は粉は通過させるが材料よりも小さくなるように形成されている。
【符号の説明】
【００１１】
１  粉まぶし器
２  ねじ巻き式の蓋体
３  胴体
４  長さ方向一方側室
５  長さ方向他方側室
６  隔壁部
７  隔壁部の通過孔
8  まぶす対象物
【図１】
0003221699.tif 000003
【図２】
0003221699.tif 000004
【図３】
0003221699.tif 000005
【図４】
0003221699.tif 000006
【図５】
0003221699.tif 000007
【図６】
0003221699.tif 000008
【図７】
0003221699.tif 000009
(57)【要約】      （修正有）【課題】本体と引出し箱との組合せでサイコロの形態を成し、６面に配した磁気板に付属の磁気カードを自在に取付けし、絵文字合わせ的にカード遊びしながら学習もできる学習用カード付サイコロを提供する。【解決手段】立方体本体に引き出し箱を挿入して合体し、６面体のサイコロを形成し、サイコロ６面それぞれの中央部に磁気板を埋め込み、引き出し内部には正方形状の磁気カードを縦列、表裏自在に取付ける。【選択図】図２
0003221660.tif 000002
【実用新案登録請求の範囲】
【請求項１】
サイコロの形成は、本体と引出し箱との合体で正規な形態を成し、内部に付属のカードが収納できることを特徴とする、学習用カード付サイコロ。
【請求項２】
請求項１記載のサイコロは、６面全ての中央部に磁気板を埋め込み、付属の磁気カードの取付けが自在にできることを特徴とする、学習用カード付サイコロ。
【請求項３】
請求項１記載のサイコロは、引出し箱前面上部の△印で箱の天地判別ができ、底面前部にストッパー板を取付け、箱の開き防止を成すことを特徴とする、学習用カード付サイコロ。
【請求項４】
請求項１記載のサイコロに取付ける付属の磁気カードは、中央部のみ磁気化され、互いのカードとの分離がた易くできることを特徴とする、学習用カード付きサイコロ。
【考案の詳細な説明】
【技術分野】
【０００１】  この考案は、本体と引出し箱との組合せからなるサイコロで、６面全ての中央部に埋め込んだ磁気板に、付属の磁気カードの取付けが自在にできるようにした、学習用カード付サイコロに関するものである。
【背景技術】
【０００２】  一般的なサイコロは、競技用として使用のものが通常で、６面〜１２面位のものまであるが大半は数の表示である。文字や図柄のものもあるがその図柄を自在に変換でき、絵文字合わせのように遊びながらに学習もできるようなサイコロと言うのは、現市場では余り見受けられない。
【考案の概要】
【考案が解決しようとする課題】
【０００３】  幼児や児童の利用を考慮し、一般なサイコロより大きめな上に、６面の図柄交換が容易で、カード内容も楽しく、学習効果の高まるような教材用サイコロとする。
【課題を解決するための手段】
【０００４】  形態としては、本体と引出し箱との組合せによって正規なサイコロとしての用を成す。６面全ての中央部に磁気板を埋め込み、付属の磁気カードが表裏自在に取付け交換ができるようにして、遊びながらに楽しく学習のできるサイコロとする。
【考案の効果】
【０００５】  このような構成により、色々な図柄や文字を配した磁気カードが、自在に取付けできサイコロを振って出た図柄に対し裏面の答え（例：表／りんごの絵、裏／ａｐｐｌｅの文字）合わせを楽しみ、遊びながらに学習できる効果がある。
また、カード内容として様々なシリーズでの企画が考えられ、商品化においてソフト部分の展開次第で、大いなる販売促進へと繋がる可能性がある。
【図面の簡単な説明】
【０００６】
【図１】  本考案の学習用カード付サイコロの平面図と立面図である。
【図２】  本学習用カード付サイコロの組立て図である。
【考案を実施するための形態】
【０００７】  本考案は〔図１〕で示すような本体に、引出し箱と付属の４とのパーツで成り立っている。〔図２〕のように引出し箱を本体に差し込んで固定し、サイコロとしての形態を成す。サイコロ６面全ての中央部に２を埋め込み、引出し箱底面前部には３を設け、使用時での引出し箱の飛び出しを防止する。４を６面に取付け（装着）し、活用を成す構成となっている。
【実施例１】
【０００８】  サイコロに取付ける付属のカードの教材内容として、図柄（記号を含む）、五十音、アルファベットの他、九九のかけ算や漢字など幅広いメニューが可能であり、遊びながらの楽しい学習ができる玩具となる。
【実施例２】
【０００９】  カード表裏の答え合わせをする一人遊び学習に限らず、回答できたものがカードを得ると言うルールを元に、数人でのゲームとしての楽しみ方もできる。
【符号の説明】
【００１０】    １  ベース板
２  磁気板
３  ストッパー板
４  磁気カード
【図１】
0003221660.tif 000003
【図２】
0003221660.tif 000004
【手続補正書】
【提出日】平成31年3月20日(2019.3.20)
【手続補正１】
【補正対象書類名】実用新案登録請求の範囲
【補正対象項目名】全文
【補正方法】変更
【補正の内容】
【実用新案登録請求の範囲】
【請求項１】
ま四角の４面からなる□形本体に、引き出し箱を挿入して合体させ正規な６面体のサイコロを形成し、引出し内部には正方形状の磁気化を施したカードが、縦列内臓できることを特徴とする、学習用カード付サイコロ。
【請求項２】
請求項１記載のサイコロは、６面全ての中央部に磁気板を埋め込み、付属の磁気カードの取付けが自在にできることを特徴とする、学習用カード付サイコロ。
【請求項３】
請求項１記載のサイコロは、引き出し箱前面上部の△印で箱の天地判別ができ、底面前部にストッパー板を取付け、箱の開き防止を成すことを特徴とする、学習用カード付サイコロ。
【請求項４】
請求項１記載のサイコロに取付ける付属の磁気カードは、中央部のみ磁気化され、互いのカードとの分離がた易くできることを特徴とする、学習用カード付サイコロ。
(57)【要約】      （修正有）【課題】給油中に、吹きこぼれた油脂を一時的にロート内に受け止め、他の給油口へ注ぐかあるいは給油元に注ぎ戻す油漏れ防止ロートを提供する。【解決手段】ロート本体１と、ロート本体１内に配置することによりロート本体１内の油脂７の流れを止める栓２とを備えていることにより、給油先タンクから吹きこぼれた油脂７をロート内に受け止め、他の給油口に注ぐか、あるいは給油元に注ぎ戻すことができる。【選択図】図５
0003221651.tif 000002
【実用新案登録請求の範囲】
【請求項１】
給油先タンクから吹きこぼれた油脂をロート内に受け止め、他の給油口へ注ぐか、あるいは給油元に注ぎ戻すことができる考案。
【考案の詳細な説明】
【背景技術】
【０００１】従来の給油時の油漏れ対策は、油脂吸着マットを利用しこぼれた油を吸着し除去するか油受けバケツを用意し油こぼれ対策としていた。
【考案の概要】
【考案が解決しようとする課題】
【０００２】注ぎ過ぎによる給油時の油漏れを解消するため給油タンクにロートを差込み、あふれ出た油をロート内に溜め止栓し、他の給油口へ注ぐか、あるいは給油元へ注ぎ戻すことを課題としている。
【図面の簡単な説明】
【０００３】
【図１】本考案の透視図である。
【図２】本考案により給油している図である。
【図３】図２で給油している油がロート内に溜まっている図である。
【図４】図３の状態に栓をしている図である。
【図５】図４で溜めた油を給油元へ戻している図である。
【符号の説明】
【０００４】１本体ロート
２栓
３栓止めヒモ
４ヒモ固定リング
５肉厚栓
６給油先タンク
７油
８給油口
９給油元
１０給油元口
１１給油ノズル
【図１】
0003221651.tif 000003
【図２】
0003221651.tif 000004
【図３】
0003221651.tif 000005
【図４】
0003221651.tif 000006
【図５】
0003221651.tif 000007
【手続補正書】
【提出日】平成31年3月19日(2019.3.19)
【手続補正１】
【補正対象書類名】実用新案登録請求の範囲
【補正対象項目名】全文
【補正方法】変更
【補正の内容】
【実用新案登録請求の範囲】
【請求項１】
ロート本体と、前記ロート本体内に配置することによりロート本体内の油脂の流れを止める栓とを備えていることにより、給油先タンクから吹きこぼれた油脂をロート内に受け止め、他の給油口に注ぐか、あるいは給油元に注ぎ戻すことができる油漏れ防止ロート。
(57)【要約】      （修正有）【課題】複雑で大型であるモーション装置の構造を小型化及び簡素化するモーションチェアを提供する。【解決手段】着座する椅子部分と土台脚部分３とのヨーイング動作を制限し、ローリングとピッチング方向にのみ自由に傾斜する自在継手５で連結され、椅子前部の２個のアクチュエーター６、７のそれぞれの伸縮により２自由度である前後傾斜、左右傾斜とそれら２自由度の合わさった動作をさせる。【選択図】図１
0003221677.tif 000002
【実用新案登録請求の範囲】
【請求項１】
ユーザーの着席する椅子と土台脚部がローリング及びピッチング傾斜自在、ヨーイング方向固定の自在継手によって連結され、２個の駆動手段によって前記椅子部分をローリングとピッチングの２自由度に運動させることを特徴とするモーションチェア
【考案の詳細な説明】
【技術分野】
【０００１】  本考案は、椅子を２個の駆動手段によりローイングとピッチングの２自由度に傾斜するモーションチェアに関するものである。
【背景技術】
【０００２】  一般的にモーションシミュレーター装置は、コンピューターによって制御される仮想環境に適合するように動的変化を再現することによって、ユーザーに仮想現実の動きを現実のように感じさせる装置であって、飛行機、自動車を含む乗り物の訓練用、ゲーム用、映像連動型体感装置などに広く使用されているが複雑で大型である。
【考案の概要】
【考案が解決しようとする課題】
【０００３】  本考案は、デスク用チェアにモーション機構を組み込み、ゲームや映像とともに椅子を傾斜させ動的変化を再現、設置の利便性を考慮し、小型化と簡素化が可能になり、複雑で大型である欠点を解決しようとするものである。
【課題を解決するための手段】
【０００４】  以下、添付の図面を参照して本発明のモーションチェアについて説明する。図１ユーザーの着座する椅子１、２と土台脚部３は２方向自在継手５によって連結される。左前方アクチュエーター６および右前方アクチュエーター７は下部を土台脚部３と球面軸受８によって連結、上部を椅子２に固定されたフレーム１１に球面軸受９を介し、ナット１０によって固定される。両アクチュエーターはそれぞれ信号により長さ１２、１３部が上下することにより問題点を解決している。
【考案の効果】
【０００５】  上述の様に、本考案のモーションチェアにより、デスク用チェアに代替することで簡単に設置、体感できる。
【図面の簡単な説明】
【０００６】
【図１】本発明の第１実施形態によるモーションチェアを示す斜視図である。
【図２】図１のモーションチェアの第１実施形態における横からの図である。
【図３】図１のモーションチェアの第２実施形態における横からの図である。
【図４】図１のモーションチェアの第３実施形態における横からの図である。
【図５】図１のモーションチェアの第１実施形態における前からの図である。
【図６】図１のモーションチェアの第４実施形態における前からの図である
【図７】図１のモーションチェアの第５実施形態における前からの図である
【考案を実施するための形態】
【０００７】以下、添付の図面を参照して本考案の実施形態の構成及び作用を説明する。
〈第１実施形態〉
アクチュエーター６、７伸縮ロッド部１２、１３の中間で停止した状態を示している。
〈第２実施形態〉
アクチュエーター６、７伸縮ロッド部１２、１３の伸びた状態を示している。
〈第３実施形態〉
アクチュエーター６、７伸縮１２、１３の縮んだ状態を示している。
〈第４実施形態〉
アクチュエーター６のロッド１２が伸び、アクチュエーター７のロッド１３が縮んだ状態を示している。
〈第５実施形態〉
アクチュエーター７のロッド１３が伸び、アクチュエーター６のロッド１２が縮んだ状態を示している。
【符号の説明】
【０００８】    １  座面
２  背もたれ
３  土台脚部
４  支柱
５  自在継手
６  左アクチュエーター
７  右アクチュエーター
８  球面軸受
９  球面軸受
１０  ナット
１１  固定フレーム
１２  伸縮方向
１３  伸縮方向
１４  ピッチング機構傾斜方向
１５  ローリング機構傾斜方向
１６  チェア傾斜ピッチング方向
１７  チェア傾斜ローリング方向
【図１】
0003221677.tif 000003
【図２】
0003221677.tif 000004
【図３】
0003221677.tif 000005
【図４】
0003221677.tif 000006
【図５】
0003221677.tif 000007
【図６】
0003221677.tif 000008
【図７】
0003221677.tif 000009
(57)【要約】      （修正有）【課題】鍵から出る電磁波を遮断して車両の盗難を防止できる鍵入れ保管ケースを提供する。【解決手段】外部は布又は皮製で、内部は薄い布製で、中間には厚さ２００μｍ以下の薄い金属の網からなる電磁波シールド材を使用した柔軟性に優れた鍵入れ保管ケースである。車両の鍵を鍵入れ保管ケースに入れ、ファスナー１を完全に閉め電磁波を遮断する。【選択図】図１
0003221678.tif 000002
【実用新案登録請求の範囲】
【請求項１】
鍵入れ保管ケースの外装は布製又は皮製で、内装は薄手の布で出来、その間に保護された、シールド材をもうけ、鍵を入れた後は電磁波がケースから漏れないようにフアスナーで止めるケースであつて、シールド材は２００μｍ以下の厚さで電磁波を遮断する事を特徴とした鍵入れ保管ケース。
【考案の詳細な説明】
【技術分野】
【０００１】本考案は外装と内装の間にシールド材を設けた車両用鍵入れ保管ケースに関するものである。
【背景技術】
【０００２】高級自動車その他の車両を車庫又は駐車場に停車し保管している、鍵は車両と離れた所に放置され鍵と車両間には常に電磁波が飛びかつて居る為その電磁波を利用して解錠され車両が盗難にあう事がある。
【考案の概要】
【考案が解決しようとする課題】
【０００３】車両と鍵との関係は、車両を車庫又は駐車場に入れ鍵は車両と離れた所に有り、鍵から出る電磁波は野放し状態である。不審者はこの電磁波を増幅してドアー及びエンジンを作動させ車両を盗む事がある。
【課題を解決するための手段】
【０００４】鍵入れ保管ケースの外装は厚手の布又は皮製で、内装は薄手の布製で出来、その間に保護されたシールド材をもうけている。鍵を入れた後は電磁波がケースから漏れないようにファスナーで止める。その保管ケースのシールド材は２００μｍ以下の厚さのものを使用した、鍵入れ保管ケースを用いる事により電磁波を遮断することを特徴とした鍵入れ保管ケース。
【考案の効果】
【０００５】上述の様に本考案は電磁波を発射していてもこのケースがあれば電磁波を遮断出来る。又高級車が主に盗難にあつており対応が急がれている案件である。安く安易に防止できれば自動車保持者にとっては大変な効果が有る。
【図面の簡単な説明】
【０００６】
【図１】本考案の鍵入れ保管ケースの正面図と側面図である。
【図２】本鍵入れ保管ケースのＸ−Ｙの断面図である。
【図３】本考案の実施例の図示である。
【考案を実施するための形態】
【０００７】車両の管理者は運転終了後、鍵入れ保管ケースに必ず鍵を入れファスナーを完全に閉め電磁波が鍵入れ保管ケースから漏れないように注意し保管する事により車両が盗まれる事を防止出来る。
【実施例】
【０００８】  以下、添付図面に従って実施例を説明する。
図１の１は鍵入れ保管ケースのファスナー部で、ここから鍵を出し入れする、入れた後は電磁波が漏れないように完全にファスナーを閉める。この状態でどこへ保管しても電磁波はもれない。
図２は鍵入れ保管ケースの断面図である。３は電磁波を防止する為のシールド材４は外装材で布又はデザイン化された高級皮製でシールド材を保護し、５は内装材で薄い布製で出来ており内部の鍵とシールド材とを絶縁している。
図３は本考案の実施例であり、電磁波が完全に阻止出来る事を確認した。
【符号の説明】
【０００９】  Ｉ  ファスナー
２  外装
３  シールド材
４  外装で布その他デザイン化された高級皮
５  内装で薄手の布
６  鍵入れ保管ケース
７  鍵
８  車両
９  電磁波
【図１】
0003221678.tif 000003
【図２】
0003221678.tif 000004
【図３】
0003221678.tif 000005